【手続補正書】
【提出日】平成25年3月29日(2013.3.29)
【手続補正１】
【補正対象書類名】明細書
【補正対象項目名】００１０
【補正方法】変更
【補正の内容】
【００１０】
本発明は、画像形成部と中間転写体との脱着を切り替える切替時間の無駄を省くことができる画像形成装置を提供することを目的とする。
【手続補正２】
【補正対象書類名】明細書
【補正対象項目名】００１１
【補正方法】変更
【補正の内容】
【００１１】
上記課題を解決するため、請求項１に係る画像形成装置は、トナー像を担持する像担持体をそれぞれ備えた複数の画像形成部と、前記複数の像担持体からトナー像が転写される中間転写体と、前記複数の像担持体の中から選択された像担持体と前記中間転写体とを当接させる当接状態及び離間させる離間状態に切り替える切替手段と、前記複数の画像形成部が待機状態のときの前記切替手段の状態を設定する設定手段と、前記複数の像担持体の全てと前記中間転写体とが当接した状態で画像形成を行う第１のモード又は前記複数の像担持体の中から選択された像担持体と前記中間転写体とが離間した状態で画像形成を行う第２のモードを選択する選択手段と、前記選択された像担持体を有する画像形成部が動作できない場合、前記設定手段による設定によらず、前記選択手段による前記第１のモードの選択を禁止するとともに、前記第２のモードの選択を可能にする制御手段と、を有することを特徴とする。
【手続補正３】
【補正対象書類名】明細書
【補正対象項目名】００１２
【補正方法】変更
【補正の内容】
【００１２】
請求項２に係る画像形成装置は、トナー像を担持する像担持体をそれぞれ備えた複数の画像形成部と、前記複数の像担持体からトナー像が転写される中間転写体と、前記複数の像担持体の中から選択された像担持体と前記中間転写体とを当接させる当接状態及び離間させる離間状態に切り替える切替手段と、前記複数の画像形成部が待機状態であるときの前記切替手段の状態を操作者に設定させる設定手段と、前記複数の像担持体の全てと前記中間転写体とが当接した状態で画像形成を行う第１のモード又は前記複数の像担持体の中から選択された像担持体と前記中間転写体とが離間した状態で画像形成を行う第２のモードを前記操作者に選択させる選択手段と、前記選択された像担持体を有する画像形成部が動作できない場合に、前記選択手段による選択を実行不能にする制御手段と、を有することを特徴とする。
【手続補正４】
【補正対象書類名】明細書
【補正対象項目名】００１３
【補正方法】変更
【補正の内容】
【００１３】
請求項５に係る画像形成装置は、トナー像を担持する像担持体をそれぞれ備えた複数の画像形成部と、前記複数の像担持体からトナー像が転写される中間転写体と、前記複数の像担持体の中から選択された像担持体と前記中間転写体とを当接させる当接状態及び離間させる離間状態に切り替える切替手段と、前記複数の画像形成部が待機状態であるときの前記切替手段の状態を設定する設定手段と、前記複数の像担持体の全てと前記中間転写体とが当接した状態で画像形成を行う第１のモード又は前記複数の像担持体の中から選択された像担持体と前記中間転写体とが離間した状態で画像形成を行う第２のモードを選択する選択手段と、前記選択された像担持体を有する画像形成部が動作できない場合、前記設定手段による設定によらず、前記切替手段によって前記選択された像担持体と前記中間転写体とを離間状態に維持する制御手段と、を有することを特徴とする。
【手続補正５】
【補正対象書類名】明細書
【補正対象項目名】００１４
【補正方法】変更
【補正の内容】
【００１４】
本発明に係る画像形成装置によれば、画像形成部と中間転写体との脱着を切り替える切替時間の無駄を省くことができる。これにより、次の印刷を開始することができるようになるまでの待ち時間を短くし、また、電力消費を低減することができるようになる。
【手続補正６】
【補正対象書類名】明細書
【補正対象項目名】００１６
【補正方法】変更
【補正の内容】
【００１６】
図１は、本発明の実施の形態に係る画像形成装置の概略構成を示すブロック図である。この画像形成装置は、用紙上に画像を形成する画像形成部１と、後に説明する中間転写体１０４（図２参照）と感光ドラムとを当接させたり離間させたりするための切替手段としての着脱機構３を備えている。また、画像形成装置は、画像形成装置の状態を表示し、操作者（ユーザ）からの指示を受け付ける操作／表示部４と、これらを制御するための制御部５とを備えている。
【手続補正７】
【補正対象書類名】特許請求の範囲
【補正対象項目名】全文
【補正方法】変更
【補正の内容】
【特許請求の範囲】
【請求項１】
トナー像を担持する像担持体をそれぞれ備えた複数の画像形成部と、
前記複数の像担持体からトナー像が転写される中間転写体と、
前記複数の像担持体の中から選択された像担持体と前記中間転写体とを当接させる当接状態及び離間させる離間状態に切り替える切替手段と、
前記複数の画像形成部が待機状態のときの前記切替手段の状態を設定する設定手段と、
前記複数の像担持体の全てと前記中間転写体とが当接した状態で画像形成を行う第１のモード又は前記複数の像担持体の中から選択された像担持体と前記中間転写体とが離間した状態で画像形成を行う第２のモードを選択する選択手段と、
前記選択された像担持体を有する画像形成部が動作できない場合、前記設定手段による設定によらず、前記選択手段による前記第１のモードの選択を禁止するとともに、前記第２のモードの選択を可能にする制御手段と、
を有することを特徴とする画像形成装置。
【請求項２】
トナー像を担持する像担持体をそれぞれ備えた複数の画像形成部と、
前記複数の像担持体からトナー像が転写される中間転写体と、
前記複数の像担持体の中から選択された像担持体と前記中間転写体とを当接させる当接状態及び離間させる離間状態に切り替える切替手段と、
前記複数の画像形成部が待機状態であるときの前記切替手段の状態を操作者に設定させる設定手段と、
前記複数の像担持体の全てと前記中間転写体とが当接した状態で画像形成を行う第１のモード又は前記複数の像担持体の中から選択された像担持体と前記中間転写体とが離間した状態で画像形成を行う第２のモードを前記操作者に選択させる選択手段と、
前記選択された像担持体を有する画像形成部が動作できない場合に、前記選択手段による選択を実行不能にする制御手段と、
を有することを特徴とする画像形成装置。
【請求項３】
前記選択手段は、前記第１のモード又は前記第２のモードを前記操作者に選択させるためのボタンを表示するための操作／表示部を備え、
前記制御手段は、前記操作／表示部に表示される前記ボタンを隠すことによって、前記操作者による選択ができないようにすることを特徴とする請求項２記載の画像形成装置。
【請求項４】
前記制御手段は、前記選択手段を用いて前記操作者が前記第１のモードを選択した場合に、当該第１のモードは選択できなくなっていることを前記操作者に通知することを特徴とする請求項２記載の画像形成装置。
【請求項５】
トナー像を担持する像担持体をそれぞれ備えた複数の画像形成部と、
前記複数の像担持体からトナー像が転写される中間転写体と、
前記複数の像担持体の中から選択された像担持体と前記中間転写体とを当接させる当接状態及び離間させる離間状態に切り替える切替手段と、
前記複数の画像形成部が待機状態であるときの前記切替手段の状態を設定する設定手段と、
前記複数の像担持体の全てと前記中間転写体とが当接した状態で画像形成を行う第１のモード又は前記複数の像担持体の中から選択された像担持体と前記中間転写体とが離間した状態で画像形成を行う第２のモードを選択する選択手段と、
前記選択された像担持体を有する画像形成部が動作できない場合、前記設定手段による設定によらず、前記切替手段によって前記選択された像担持体と前記中間転写体とを離間状態に維持する制御手段と、
を有することを特徴とする画像形成装置。
【請求項６】
前記制御手段は、前記複数の画像形成部における画像の形成中に、前記複数の像担持体の中から選択された像担持体を有する画像形成部が動作できなくなった場合において前記複数の像担持体の全てと前記中間転写体とが当接した状態にある場合、前記設定手段による設定によらず、画像形成の終了後に、前記切替手段によって前記複数の像担持体の中から選択された像担持体と前記中間転写体とが離間する離間状態に切り替えることを特徴とする請求項５記載の画像形成装置。
【請求項７】
前記制御手段は、前記複数の画像形成部での画像形成中に前記選択された像担持体を有する画像形成部が動作できなくなった場合、画像形成の終了後に、前記設定手段による設定にしたがうように前記切替手段を動作させることを特徴とする請求項５記載の画像形成装置。
【請求項８】
前記制御手段は、前記複数の画像形成部での画像形成中に前記選択された像担持体を有する画像形成部が動作できなくなった場合、画像形成の終了後、次の画像形成の開始前に、前記設定手段による設定によらず、前記切替手段によって前記選択された像担持体と前記中間転写体とが離間する離間状態に切り替えることを特徴とする請求項７記載の画像形成装置。